(57)【要約】【課題】固定保護板の取付作業の効率を向上させることができるエスカレータガード板取付位置決め治具を得る。【解決手段】エスカレータのデルタ部３に固定保護板４を設置する際に用いられるエスカレータガード板取付位置決め治具であって、移動手摺１から水平方向であって移動手摺１の幅方向外側に延びる水平部材６と、移動手摺１の幅方向外側に位置する水平部材６の部分から鉛直方向に延び、移動手摺１から鉛直方向上方について所定の距離Ｃだけ離れた位置を特定する鉛直部材７とを備え、固定保護板４が取り付けられる上階側階床２の中で、鉛直部材７により特定される位置と重なる部分が、固定保護板４が取り付けられる基準位置Ｄとなる。【選択図】図２
2014001072.tif 000002
【特許請求の範囲】
【請求項１】
エスカレータのデルタ部に固定保護板を設置する際に用いられるエスカレータガード板取付位置決め治具であって、
移動手摺から水平方向であって前記移動手摺の幅方向外側に延びる水平部材と、
前記移動手摺の幅方向外側に位置する前記水平部材の部分から鉛直方向に延び、前記移動手摺から鉛直方向上方について所定の距離だけ離れた位置を特定する鉛直部材と
を備え、
前記固定保護板が取り付けられる取付対象部材の中で、前記鉛直部材により特定される位置と重なる部分が、前記固定保護板が取り付けられる基準位置となることを特徴とするエスカレータガード板取付位置決め治具。
【請求項２】
前記鉛直部材により特定される位置から前記取付対象部材に沿って延び、前記鉛直部材により特定される位置から前記取付対象部材に沿った方向について所定の距離だけ離れた位置を特定する可動警告板取付位置決め部材をさらに備え、
前記取付対象部材の中で、前記可動警告板取付位置決め部材により特定される位置と重なる部分が、可動警告板が取り付けられる基準位置となることを特徴とする請求項１に記載のエスカレータガード板取付位置決め治具。
【請求項３】
前記水平部材が水平方向に延びていることを検出する水平検出器をさらに備えたことを特徴とする請求項１または請求項２に記載のエスカレータガード板取付位置決め治具。
【請求項４】
前記鉛直部材が鉛直方向に延びていることを検出する鉛直検出器をさらに備えたことを特徴とする請求項１ないし請求項３の何れか１項に記載のエスカレータガード板取付位置決め治具。
【発明の詳細な説明】
【技術分野】
【０００１】
この発明は、エスカレータのデルタ部に固定保護板を設置する際に用いられるエスカレータガード板取付位置決め治具に関する。
【背景技術】
【０００２】
従来、上階側階床とエスカレータの移動手摺とにより形成されるデルタ部に設けられ、上昇運転するエスカレータに乗った乗客や荷物が上階側階床と移動手摺との間に挟まれることを防止する固定保護板が知られている（例えば、特許文献１参照）。
【０００３】
固定保護板は、上階側階床から、固定保護板に隣り合う移動手摺の部分よりも下方にまで延びるようにて配置される。また、固定保護板は、固定保護板における下階乗降口側の端部において、隣り合う移動手摺の部分よりも上方に位置する固定保護板の部分の高さ方向についての長さの寸法が３００ｍｍ以上となるように、上階側階床に取り付けられる。
【先行技術文献】
【特許文献】
【０００４】
【特許文献１】特開平１０−７７１８９号公報
【発明の概要】
【発明が解決しようとする課題】
【０００５】
しかしながら、固定保護板における下階乗降口側の端部において、隣り合う移動手摺の部分よりも上方に位置する固定保護板の部分の高さ方向についての長さの寸法が３００ｍｍ以上となるように固定保護板を上階側階床に取り付けるためには、移動手摺から水平方向であって移動手摺の幅方向外側に延びた直線と上階側階床との間の寸法をメジャーで測定しながら、メジャーを移動手摺に沿って移動させて、固定保護板が取り付けられる基準位置を探さなければならず、固定保護板の取付作業の効率が悪いという問題点があった。
【０００６】
この発明は、固定保護板の取付作業の効率を向上させることができるエスカレータガード板取付位置決め治具を提供するものである。
【課題を解決するための手段】
【０００７】
この発明に係るエスカレータガード板取付位置決め治具は、エスカレータのデルタ部に固定保護板を設置する際に用いられるエスカレータガード板取付位置決め治具であって、移動手摺から水平方向であって前記移動手摺の幅方向外側に延びる水平部材と、前記移動手摺の幅方向外側に位置する前記水平部材の部分から鉛直方向に延び、前記移動手摺から鉛直方向上方について所定の距離だけ離れた位置を特定する鉛直部材とを備え、前記固定保護板が取り付けられる取付対象部材の中で、前記鉛直部材により特定される位置と重なる部分が、前記固定保護板が取り付けられる基準位置となる。
【発明の効果】
【０００８】
この発明に係るエスカレータガード板取付位置決め治具によれば、移動手摺から水平方向であって移動手摺の幅方向外側に延びる水平部材と、移動手摺の幅方向外側に位置する水平部材の部分から鉛直方向に延び、移動手摺から鉛直方向上方について所定の距離だけ離れた位置を特定する鉛直部材とを備え、固定保護板が取り付けられる取付対象部材の中で、鉛直部材により特定される位置と重なる部分が、固定保護板が取り付けられる基準位置となるので、固定保護板が取り付けられる基準位置を容易に見つけることができる。その結果、固定保護板の取付作業の効率を向上させることができる。
【図面の簡単な説明】
【０００９】
【図１】この発明の実施の形態１に係るエスカレータの要部を示す側面図である。
【図２】図１のデルタ部に固定保護板および可動警告板を設置する際に用いられるエスカレータガード板取付位置決め治具を示す斜視図である。
【図３】図２のエスカレータガード板取付位置決め治具を示す側面図である。
【発明を実施するための形態】
【００１０】
実施の形態１．
図１はこの発明の実施の形態１に係るエスカレータの要部を示す側面図である。図において、エスカレータは、循環移動する移動手摺１を備えている。移動手摺１と上階側階床（取付対象部材）２とにより、エスカレータのデルタ部３が形成されている。
【００１１】
デルタ部３には、固定保護板４と、可動警告板５とが設置されている。これにより、上昇運転するエスカレータに乗った乗客や荷物が上階側階床と移動手摺との間に挟まれることが防止される。固定保護板４は、上階側階床２にねじを用いて固定されている。可動警告板５は、固定保護板４よりも下階乗降口（図示せず）側に配置されている。可動警告板５は、可動警告板本体５１と、上階側階床２に取り付けられたチェーン５２とを有している。可動警告板本体５１は、チェーンに連結されている。つまり、可動警告板本体５１は、チェーン５２を介して、上階側階床２から吊り下げられている。
【００１２】
固定保護板４は、上階側階床２から、固定保護板４に隣り合う移動手摺１の部分よりも下方にまで延びて配置される。また、固定保護板４は、固定保護板４における下階乗降口側の端部４１において、隣り合う移動手摺１の部分よりも上方に位置する固定保護板４の部分の高さ方向についての長さの寸法Ａが３００ｍｍとなるように配置されている。また、固定保護板４は、固定保護板４における下階乗降口側の端部４１において、隣り合う移動手摺１の部分よりも下方に位置する固定保護板４の部分の高さ方向についての長さの寸法Ｂが２００ｍｍとなるように配置されている。
【００１３】
可動警告板本体５１は、可動警告板本体５１の上端部が隣り合う移動手摺１の部分によりも上方に位置し、可動警告板本体５１の下端部が隣り合う移動手摺１の部分よりも下方に位置するように配置されている。
【００１４】
図２は図１のデルタ部３に固定保護板４および可動警告板５を設置する際に用いられるエスカレータガード板取付位置決め治具を示す斜視図、図３は図２のエスカレータガード板取付位置決め治具を示す側面図である。エスカレータガード板取付位置決め治具は、移動手摺１に設けられる水平部材６と、水平部材６に設けられた鉛直部材７と、鉛直部材７に設けられた可動警告板取付位置決め部材８と、水平部材６に設けられる水平検出器９と、鉛直部材７に設けられる鉛直検出器１０とを備えている。鉛直検出器１０には、磁石（図示せず）が取り付けられており、鉛直検出器１０は、磁力を用いて鉛直部材７に固定される。
【００１５】
水平部材６は、移動手摺１から水平方向であって移動手摺１の幅方向外側に延びるように、移動手摺１の上面に配置される。作業者は、水平検出器９を用いて、水平部材６が水平方向に延びるように水平部材６を配置する。
【００１６】
鉛直部材７は、水平部材６の長手方向に対して垂直の方向に延びるように、水平部材６に固定されている。作業者は、水平部材６が移動手摺１から水平方向であって移動手摺１の幅方向外側に延びるように水平部材６を配置する際に、鉛直部材７が移動手摺１から移動手摺１の幅方向外側に位置するように、水平部材６を配置する。また、作業者は、水平部材６が移動手摺１から水平方向であって移動手摺１の幅方向外側に延びるように水平部材６を配置した状態で、鉛直検出器１０を用いて、鉛直部材７が鉛直方向に延びるように鉛直部材７を配置する。つまり、作業者は、水平部材６が移動手摺１から水平方向であって移動手摺１の幅方向外側に延びるように水平部材６を配置するとともに、移動手摺１の幅方向外側に位置する水平部材６の部分から鉛直方向上方に延びるように鉛直部材７を配置する。
【００１７】
鉛直部材７は、水平部材６が移動手摺１の上面に配置された場合に、移動手摺１から鉛直方向上方について所定の距離Ｃだけ離れた位置を特定するように形成されている。移動手摺１から鉛直部材７により特定される位置までの所定の距離Ｃは、この例では、３００ｍｍとなっている。つまり、移動手摺１から鉛直部材７により特定される位置までの所定の距離Ｃは、固定保護板４における下階乗降口側の端部４１において、隣り合う移動手摺１の部分よりも上方に位置する固定保護板４の部分の高さ方向についての長さの寸法Ａと同一となっている。したがって、水平部材６が移動手摺１から水平方向であって移動手摺１の幅方向外側に延びるように移動手摺１の上面に配置され、鉛直部材７が鉛直方向に延びるように配置され、かつ、鉛直部材７により特定される位置が上階側階床２の底面と重なる場合に、上階側階床２の中で、鉛直部材７により特定される位置と重なる部分が、固定保護板４が取り付けられる基準位置Ｄとなる。固定保護板４は、基準位置Ｄに基づいて、上階側階床２に取り付けられる。
【００１８】
可動警告板取付位置決め部材８は、水平部材６が移動手摺１から水平方向であって移動手摺１の幅方向外側に延びるように配置され、かつ、鉛直部材７が鉛直方向に延びるように配置された場合に、上階側階床２に沿って延びるように形成されている。
【００１９】
また、可動警告板取付位置決め部材８には、水平部材６が移動手摺１から水平方向であって移動手摺１の幅方向外側に延びるように移動手摺１に配置され、かつ、鉛直部材７が鉛直方向に延びるように配置された場合に、鉛直部材７により特定される位置から上階側階床２に沿った方向について所定の距離Ｅだけ離れた位置を特定する貫通孔８１が形成されている。鉛直部材７により特定される位置から貫通孔８１まで所定の距離Ｅは、固定保護板４が取り付けられる基準位置Ｄから可動警告板５が取り付けられる基準位置Ｆまでの間の寸法となっている。つまり、上階側階床２の中で、可動警告板取付位置決め部材８により特定される位置と重なる部分が、可動警告板５が取り付けられる基準位置Ｆとなる。可動警告板５は、基準位置Ｆに基づいて、上階側階床２に取り付けられる。この例では、基準位置Ｆは、チェーン５２が取り付けられる位置となる。
【００２０】
次に、エスカレータガード板取付位置決め治具を用いて固定保護板４および可動警告板５を上階側階床２に取り付ける作業について説明する。まず、作業者は、水平検出器９を用いて、水平部材６が水平方向に延びるように水平部材６を移動手摺１に配置する。このとき、鉛直部材７が移動手摺１から移動手摺１の幅方向外側に位置するように、水平部材６を配置する。
【００２１】
その後、作業者は、水平部材６が移動手摺１から水平方向であって移動手摺１の幅方向外側に延びるように水平部材６を配置した状態で、鉛直検出器１０を用いて、鉛直部材７が鉛直方向に延びるように鉛直部材７を配置する。
【００２２】
その後、作業者は、可動警告板取付位置決め部材８が上階側階床２に当たるように、つまり、鉛直部材７により特定される位置が上階側階床２の底面と重なるように、水平部材６を移動手摺１に沿って移動させる。可動警告板取付位置決め部材８を上階側階床２に当てた後、上階側階床２の中で鉛直部材７により特定される位置と重なる部分に、固定保護板４が取り付けられる基準位置Ｄとしてマーキングし、上階側階床２の中で可動警告板取付位置決め部材８により特定される位置と重なる部分に、可動警告板５が取り付けられる基準位置Ｆとしてマーキングする。
【００２３】
その後、作業者は、上階側階床２の中でマーキングされた基準位置Ｄおよび基準位置Ｆに基づいて、固定保護板４および可動警告板５を取り付ける。以上により、エスカレータガード板取付位置決め治具を用いて固定保護板４および可動警告板５を上階側階床２に取り付ける作業が終了する。
【００２４】
以上説明したように、この発明の実施の形態１に係るエスカレータガード板取付位置決め治具によれば、
移動手摺１から水平方向であって移動手摺１の幅方向外側に延びる水平部材６と、移動手摺１の幅方向外側に位置する水平部材６の部分から鉛直方向に延び、移動手摺１から鉛直方向上方について所定の距離Ｃだけ離れた位置を特定する鉛直部材７とを備え、固定保護板４が取り付けられる上階側階床２の中で、鉛直部材７により特定される位置と重なる部分が、固定保護板４が取り付けられる基準位置Ｄとなるので、固定保護板４が取り付けられる基準位置Ｄを容易に見つけることができる。その結果、固定保護板４の取付作業の効率を向上させることができる。
【００２５】
また、エスカレータガード板取付位置決め治具は、鉛直部材７により特定される位置から上階側階床２に沿って延び、鉛直部材７により特定される位置から上階側階床２に沿った方向について所定の距離Ｅだけ離れた位置を特定する可動警告板取付位置決め部材８を備え、上階側階床２の中で、可動警告板取付位置決め部材８により特定される位置と重なる部分が、可動警告板５が取り付けられる基準位置Ｆとなるので、可動警告板５が取り付けられる基準位置Ｆを容易に見つけることができる。その結果、可動警告板５の取付作業の効率を向上させることができる。
【００２６】
また、エスカレータガード板取付位置決め治具は、水平部材６が水平方向に延びていることを検出する水平検出器９を備えているので、作業者は、水平部材６が水平方向に延びるように水平部材６を容易に配置することができる。
【００２７】
また、エスカレータガード板取付位置決め治具は、鉛直部材７が鉛直方向に延びていることを検出する鉛直検出器１０を備えているので、作業者は、鉛直部材７が鉛直方向に延びるように鉛直部材７を容易に配置することができる。
【００２８】
なお、上記実施の形態１では、上階側階床２と移動手摺１とにより形成されるデルタ部３について説明したが、互いに隣り合うとともに互いに交差する一対のエスカレータにおける一方のエスカレータの移動手摺１と他方のエスカレータの主枠（取付対象部材）とにより形成されるデルタ部であってもよい。
【符号の説明】
【００２９】
１  移動手摺、２  上階側階床（取付対象部材）、３  デルタ部、４  固定保護板、５  可動警告板、６  水平部材、７  鉛直部材、８  可動警告板取付位置決め部材、９  水平検出器、１０  鉛直検出器、４１  端部、５１  可動警告板本体、５２  チェーン、８１  貫通孔。
【図１】
2014001072.tif 000003
【図２】
2014001072.tif 000004
【図３】
2014001072.tif 000005